(57)【要約】【課題】被写体の光像の記録が可能で、全長の短い光学観察装置及び双眼鏡を提供する。【解決手段】双眼鏡１０の第１光学系１０Ｌは、対物レンズ１２と、正立プリズム１３と、可動ミラー１５と、接眼レンズ１６と、撮像素子１８とを備える。正立プリズム１３は、対物レンズ１２から入射面１４Ａに入射した光像を正立させて射出面１４Ｂから射出する。また、正立プリズム１３は、入射面１４Ａから射出面１４Ｂまでの光路内に非全反射面１４Ｃを有する。可動ミラー１５は、非全反射面１４Ｃに対向する第１位置と、非全反射面１４Ｃに非対向である第２位置との間で移動する。接眼レンズ１６は、可動ミラー１５が第１位置にある場合に、正立した光像が入射される。撮像素子１８は、可動ミラー１５が第２位置にある場合に、光像を撮像する。【選択図】図２
2017207524.tif 000002
【特許請求の範囲】
【請求項１】
対物レンズと、
前記対物レンズから入射面に入射した光像を正立させて射出面から射出する正立プリズムであって、前記入射面から射出面までの光路内に非全反射面を有する正立プリズムと、
前記非全反射面に対向する第１位置と、前記非全反射面に非対向である第２位置との間で移動する可動ミラーと、
前記可動ミラーが前記第１位置にある場合に、前記光路を介して前記非全反射面に入射した前記光像を前記可動ミラーが反射させることにより、前記射出面から射出された正立した前記光像が入射する接眼レンズと、
前記可動ミラーが前記第２位置にある場合に、前記光路から前記非全反射面に入射し、前記非全反射面で反射されずに通過した前記光像を撮像する撮像素子と、
を備える光学観察装置。
【請求項２】
前記第１位置に配置された前記可動ミラーは、前記非全反射面と接触している請求項１に記載の光学観察装置。
【請求項３】
前記第１位置に配置された前記可動ミラーは、前記非全反射面と空隙を介して非接触である請求項１に記載の光学観察装置。
【請求項４】
前記正立プリズムは、シュミット・ペシャン型に組み合わせられたダハプリズムと補助プリズムとで構成され、
前記補助プリズムが前記非全反射面を有する請求項１から３のうちいずれか１項に記載の光学観察装置。
【請求項５】
前記可動ミラーが前記第１位置にある場合に、前記可動ミラーにより反射された前記光像は、前記ダハプリズムに入射する請求項４に記載の光学観察装置。
【請求項６】
前記可動ミラーの移動及び前記撮像素子の撮像動作を制御する制御部を備え、
前記制御部は、前記可動ミラーを前記第２位置に移動させた状態で、前記撮像素子に撮像動作を行わせる請求項１から５いずれか１項に記載の光学観察装置。
【請求項７】
前記可動ミラーは、前記第２位置に配置された状態で、前記非全反射面で反射されずに通過した前記光像を反射させ、
前記撮像素子は、前記第２位置に配置された前記可動ミラーにより反射された前記光像を撮像する請求項６に記載の光学観察装置。
【請求項８】
第１光学系及び第２光学系を有する双眼鏡において、
前記第１光学系と前記第２光学系との少なくとも一方が、
対物レンズと、
前記対物レンズから入射面に入射した光像を正立させて射出面から射出する正立プリズムであって、前記入射面から射出面までの光路内に非全反射面を有する正立プリズムと、
前記非全反射面に対向する第１位置と、前記非全反射面に非対向である第２位置との間で移動する可動ミラーと、
前記可動ミラーが前記第１位置にある場合に、前記光路を介して前記非全反射面に入射した前記光像を前記可動ミラーが反射させることにより、前記射出面から射出された正立した前記光像が入射する接眼レンズと、
前記可動ミラーが前記第２位置にある場合に、前記光路から前記非全反射面に入射し、前記非全反射面で反射されずに通過した前記光像を撮像する撮像素子と、
を備える双眼鏡。
【発明の詳細な説明】
【技術分野】
【０００１】
本発明は、被写体の光像の記録を可能とする光学観察装置及び双眼鏡に関するものである。
【背景技術】
【０００２】
双眼鏡等の光学観察装置には、被写体の光像（観察像）を記録するために、撮像素子を備えたものがある。対物レンズから入射した光像を撮像素子に導くには、光路にハーフミラーを配置し、光像の光路を分岐させて接眼レンズと撮像素子とに導く構成がある。
【０００３】
しかし、このように光路上にハーフミラーを固定すると、観察時の光量が低下することから、可動ミラーを光路上に配置して、可動ミラーを駆動することにより、被写体の光像の記録時にのみ光像を撮像素子に導く構成が提案されている（特許文献１、２）。双眼鏡等の光学観察装置には、光像を正立させるための正立プリズムを備えている。特許文献１、２では、正立プリズムと接眼レンズとの間に可動ミラーが配置されている。
【先行技術文献】
【特許文献】
【０００４】
【特許文献１】特開平１１−２１８６９２号公報
【特許文献２】特開２００４−０７０３３０号公報
【発明の概要】
【発明が解決しようとする課題】
【０００５】
しかしながら、特許文献１，２に記載のように、可動ミラーを正立プリズムと接眼レンズとの間に配置するには、正立プリズムと接眼レンズとの間に可動ミラーを配置するためのスペースが必要であるので、光路が長く、光学観察装置の全長が長いという問題がある。
【０００６】
本発明は、被写体の光像の記録が可能で、全長の短い光学観察装置及び双眼鏡を提供することを目的とする。
【課題を解決するための手段】
【０００７】
本発明の光学観察装置は、対物レンズと、正立プリズムと、可動ミラーと、接眼レンズと、撮像素子とを備える。正立プリズムは、対物レンズから入射面に入射した光像を正立させて射出面から射出する。また、正立プリズムは、入射面から射出面までの光路内に非全反射面を有する。可動ミラーは、非全反射面に対向する第１位置と、非全反射面に非対向である第２位置との間で移動する。接眼レンズは、可動ミラーが第１位置にある場合に、光路を介して非全反射面に入射した光像を可動ミラーが反射させることにより、射出面から射出された正立した光像が入射される。撮像素子は、可動ミラーが第２位置にある場合に、光路から非全反射面に入射し、非全反射面で反射されずに通過した光像を撮像する。
【０００８】
第１位置に配置された可動ミラーは、非全反射面と接触していても、非全反射面と空隙を介して非接触であっても、好ましい。
【０００９】
正立プリズムは、シュミット・ペシャン型に組み合わせられたダハプリズムと補助プリズムとで構成され、補助プリズムが非全反射面を有することが好ましい。この場合において、可動ミラーが第１位置にある場合に、可動ミラーにより反射された光像は、ダハプリズムに入射することが好ましい。
【００１０】
可動ミラーの移動及び撮像素子の撮像動作を制御する制御部を備え、制御部は、可動ミラーを第２位置に移動させた状態で、撮像素子に撮像動作を行わせることが好ましい。また、可動ミラーは、第２位置に配置された状態で、非全反射面で反射されずに通過した光像を反射させ、撮像素子は、第２位置に配置された可動ミラーにより反射された光像を撮像することが好ましい。
【００１１】
本発明は、第１光学系及び第２光学系を有する双眼鏡において、第１光学系と第２光学系との少なくとも一方において、対物レンズと、正立プリズムと、可動ミラーと、接眼レンズと、撮像素子とを備える。正立プリズムは、対物レンズから入射面に入射した光像を正立させて射出面から射出する。また、正立プリズムは、入射面から射出面までの光路内に非全反射面を有する。可動ミラーは、非全反射面に対向する第１位置と、非全反射面に非対向である第２位置との間で移動する。接眼レンズは、可動ミラーが第１位置にある場合に、光路を介して非全反射面に入射した光像を可動ミラーが反射させることにより、射出面から射出された正立した光像が入射される。撮像素子は、可動ミラーが第２位置にある場合に、光路から非全反射面に入射し、非全反射面で反射されずに通過した光像を撮像する。
【発明の効果】
【００１２】
本発明によれば、正立プリズムの非全反射面に対向する第１位置と、非全反射面に非対向である第２位置との間で移動する可動ミラーを設けることにより光路を切り替えて撮像素子に光像を導くので、光像の記録が可能で、全長の短い光学観察装置及び双眼鏡を提供することができる。
【図面の簡単な説明】
【００１３】
【図１】双眼鏡の外観斜視図である。
【図２】第１光学系の構成を示す図である。
【図３】第２光学系の構成を示す図である。
【図４】第２実施形態の双眼鏡の構成を示す図である。
【図５】第３実施形態の第１光学系の構成を示す図である。
【図６】第３実施形態の可動ミラーのミラー面側の平面図である。
【図７】第４実施形態の第１光学系の構成を示す図である。
【図８】第４実施形態の可動ミラーのミラー面側の平面図である。
【図９】第４実施形態の補助プリズムの非全反射面側の平面図である。
【図１０】第５実施形態の第１光学系の構成を示す図である。
【図１１】ストッパ部材の位置を説明する図である。
【発明を実施するための形態】
【００１４】
［第１実施形態］
図１において、双眼鏡１０は、第１光学系１０Ｌと第２光学系１０Ｒとを備える。第１光学系１０Ｌは、被写体から光軸ＡＬに沿って入射する光像を正立させて観察者の左目が接眼する第１接眼部ＥＬに導く。第２光学系１０Ｒは、被写体から光軸ＡＲに沿って入射する光像を正立させて観察者の右目が接眼する第２接眼部ＥＲに導く。
【００１５】
双眼鏡１０には、電源をオン／オフするための電源スイッチ１０Ａと、被写体の光像を記録するためのシャッタボタン１０Ｂとが設けられている。観察者は、被写体の正立した光像を観察することができ、この観察モード中に観察者がシャッタボタン１０Ｂを押下することにより撮影モードに切り替わり、被写体の光像が記録される。
【００１６】
図２において、第１光学系１０Ｌは、対物レンズ１２と、正立プリズム１３と、可動ミラー１５と、接眼レンズ１６と、撮像素子１８とを備える。対物レンズ１２は、複数の光学レンズから構成されており、図示しない機構により、それらの光学レンズの全体または一部を移動させることにより、光像の合焦（ピント合わせ）や、光像の拡大倍率の変更（ズーミング）が可能となっている。
【００１７】
正立プリズム１３は、シュミット・ペシャン型に組み合わせられたダハプリズム１３Ｂと補助プリズム１３Ａとで構成されている。補助プリズム１３Ａは、対物レンズ１２からの被写体の光像が入射する入射面１４Ａを有する。ダハプリズム１３Ｂは、正立した被写体の光像を射出する射出面１４Ｂを有する。入射面１４Ａ及び射出面１４Ｂは、光軸ＡＬに対してほぼ直交している。
【００１８】
正立プリズム１３の入射面１４Ａから射出面１４Ｂまでの間の光像の光路内には、光像の入射角が臨界角より小さいことにより全反射しない非全反射面１４Ｃが存在する。臨界角は、スネルの法則により決まる値である。この非全反射面１４Ｃは、補助プリズム１３Ａの１つの面である。正立プリズム１３内に入射した光像は、正立プリズム１３内の非全反射面１４Ｃ以外の面では全反射を行う。
【００１９】
一般的な補助プリズムでは、非全反射面には被写体の光像を反射させるための反射膜が形成されているが、本実施形態の補助プリズム１３Ａの非全反射面１４Ｃには、反射膜は形成されていない。このため、非全反射面１４Ｃに入射する光像は、非全反射面１４Ｃで反射されずに通過する。
【００２０】
可動ミラー１５は、非全反射面１４Ｃに対向した第１位置と、非全反射面１４Ｃに対向しない（非対向の）第２位置との間で移動可能である。具体的には、可動ミラー１５は、一端を軸として回動することにより、第１位置と第２位置との間を移動する。ミラー駆動部１９は、モータ等で構成され、可動ミラー１５を回動させる。
【００２１】
可動ミラー１５が第１位置にある場合には、可動ミラー１５のミラー面１５Ａと非全反射面１４Ｃとがほぼ全面で接触する。この場合、非全反射面１４Ｃに入射する光像は、可動ミラー１５により反射される。可動ミラー１５により反射された光像は、補助プリズム１３Ａ内の光路に戻され、ダハプリズム１３Ｂに入射する。この光像は、ダハプリズム１３Ｂ内の光路を通過して正立し、射出面１４Ｂから射出される。
【００２２】
接眼レンズ１６は、射出面１４Ｂから射出される正立した光像の光路上に配置されている。可動ミラー１５が第１位置にある場合、接眼レンズ１６には、正立した光像が入射する。
【００２３】
一方、可動ミラー１５が第２位置にある場合には、非全反射面１４Ｃに入射する光像は、非全反射面１４Ｃを通過し、可動ミラー１５には反射されずに、補助プリズム１３Ａの外部に射出される。撮像素子１８は、非全反射面１４Ｃから射出された光像の光路上に配置されている。
【００２４】
可動ミラー１５が第２位置にある場合、撮像素子１８には、被写体の光像が入射する。撮像素子１８は、入射した光像を撮像して、撮像信号を生成して出力する。この撮像素子１８としては、例えばＣＭＯＳ（Complementary Metal Oxide Semiconductor）型イメージセンサやＣＣＤ（Charge Coupled Device）型イメージセンサが用いられる。
【００２５】
撮像素子１８とミラー駆動部１９とには、制御部２０が電気的に接続されている。シャッタボタン１０Ｂが押下されると、制御部２０は、ミラー駆動部１９を制御して可動ミラー１５を第１位置から第２位置に移動させる。そして、制御部２０は、可動ミラー１５を第２位置に移動させた状態で、撮像素子１８に撮像動作を行わせる。撮像素子１８が撮像動作を終えると、制御部２０は、ミラー駆動部１９を制御して可動ミラー１５を第２位置から第１位置に移動させる。
【００２６】
メモリ２１は、撮像素子１８から供給される撮像信号を記憶する。メモリ２１に記憶された撮像信号は、パーソナルコンピュータ等の外部機器に有線または無線で読み出すことが可能となっている。
【００２７】
図３において、第２光学系１０Ｒは、対物レンズ２２と、正立プリズム２３と、接眼レンズ２６とを備える。対物レンズ２２は、第１光学系１０Ｌの対物レンズ１２と同様に、ピント合わせやズーミングが可能となっている。対物レンズ２２の動作は、第１光学系１０Ｌの対物レンズ１２と連動して行われる。
【００２８】
正立プリズム２３は、シュミット・ペシャン型に組み合わせられたダハプリズム２３Ｂと補助プリズム２３Ａとで構成されている。補助プリズム２３Ａは、対物レンズ２２からの被写体の光像が入射する入射面２４Ａを有する。ダハプリズム２３Ｂは、正立した被写体の光像を射出する射出面２４Ｂを有する。入射面２４Ａ及び射出面２４Ｂは、光軸ＡＲに対してほぼ直交している。
【００２９】
補助プリズム２３Ａは、第１光学系１０Ｌの補助プリズム１３Ａと同様に、光像の入射角が臨界角より小さいことにより全反射しない非全反射面２４Ｃを有する。この非全反射面２４Ｃには、光像を反射させるための反射膜２４Ｄが形成されている。したがって、正立プリズム２３は、一般的な正立プリズムであり、入射面２４Ａから入射した光像は、正立プリズム２３内の光路を通過して正立し、射出面２４Ｂから射出される。
【００３０】
接眼レンズ２６は、正立プリズム２３の射出面２４Ｂから射出される正立した光像の光路上に配置されており、正立した光像が入射する。
【００３１】
以上のように構成された双眼鏡１０の作用を説明する。電源のオン／オフにかかわらず、シャッタボタン１０Ｂを押下していない場合には、観察者は双眼鏡１０により正立した被写体の光像を観察することができる。
【００３２】
被写体から第１光学系１０Ｌに入射する光像は、対物レンズ１２を通過して補助プリズム１３Ａの入射面１４Ａに入射する。入射面１４Ａから入射した光像は、非全反射面１４Ｃに入射するが、非全反射面１４Ｃに対向する第１位置に配置された可動ミラー１５により反射される。この結果、光像は、補助プリズム１３Ａ内及びダハプリズム１３Ｂ内の光路を通過し、正立して射出面１４Ｂから射出される。射出面１４Ｂから射出された光像は、接眼レンズ１６を介して観察者の左目で観察される。
【００３３】
被写体から第２光学系１０Ｒに入射する光像は、対物レンズ２２を通過して補助プリズム２３Ａの入射面２４Ａに入射する。入射面２４Ａから入射した光像は、補助プリズム２３Ａ内及びダハプリズム２３Ｂ内の光路を通過して正立し、射出面２４Ｂから射出される。射出面２４Ｂから射出された光像は、接眼レンズ２６を介して観察者の右目で観察される。
【００３４】
電源がオンとされ、観察者によりシャッタボタン１０Ｂが押下されると、ミラー駆動部１９は、制御部２０の制御を受けて、可動ミラー１５を第１位置から第２位置に移動させる。これにより、被写体から第１光学系１０Ｌに入射する光像は、補助プリズム１３Ａの非全反射面１４Ｃから射出されて、撮像素子１８に入射する。撮像素子１８は、制御部２０の制御に基づいて、撮像動作を行い、撮像信号を出力する。この撮像信号は、メモリ２１に記憶される。
【００３５】
撮像素子１８が撮像動作を終えると、ミラー駆動部１９は、制御部２０の制御に基づき、可動ミラー１５を第２位置から第１位置に移動させる。
【００３６】
以上のように、双眼鏡１０は、補助プリズム１３Ａの反射膜が形成されていない非全反射面１４Ｃに対向する位置に、光像の光路を切り替えるための可動ミラー１５を設けているので、従来のように、ダハプリズム１３Ｂの射出面１４Ｂと接眼レンズ１６との間に可動ミラーを設ける必要はない。このため、双眼鏡１０は、光路が短縮され、全長を短くすることができる。
【００３７】
また、双眼鏡１０では、可動ミラー１５を、第１位置と第２位置との間で移動させているが、第１位置は、可動ミラー１５が非全反射面１４Ｃに接触する位置で位置決めされるので、位置決めのためのストッパを設ける必要はない。また、第２位置は、非全反射面１４Ｃから射出される光像の光路から可動ミラー１５が退避した位置であればよいので、第２位置を精度よく位置決めする必要はない。このため、第２位置についても位置決めのためのストッパを設ける必要はない。このように、本実施形態の双眼鏡１０では、可動ミラー１５を位置決めするためのストッパを設ける必要がないので、部品点数の削減及び省スペース化が図られる。
【００３８】
但し、可動ミラー１５は、第１位置において、ミラー面１５Ａが非全反射面１４Ｃにほぼ全面で接触するので、可動ミラー１５及び補助プリズム１３Ａは、ともに傷がつきにくい材料で形成されていることが好ましい。
【００３９】
双眼鏡１０では、第１光学系１０Ｌにのみ可動ミラー１５及び撮像素子１８を設けているので、シャッタボタン１０Ｂが押下されて可動ミラー１５が第１位置から第２位置に移動した場合には、第１接眼部ＥＬは一瞬暗状態となるが、この際にも、観察者は、第２光学系１０Ｒの第２接眼部ＥＲを介して被写体を観察することができるので、第１接眼部ＥＬが暗状態となることによる違和感は少ない。
【００４０】
なお、第１実施形態では、可動ミラー１５及び撮像素子１８が設けられた第１光学系１０Ｌを左目用の光学系とし、可動ミラー１５及び撮像素子１８が設けられていない第２光学系１０Ｒを右目用の光学系としているが、勿論これを逆に配置してもよい。
【００４１】
また、第１実施形態では、可動ミラー１５が第２位置に配置されている場合に、非全反射面１４Ｃから射出された光像を撮像素子１８が直接受光するように構成しているが、非全反射面１４Ｃと撮像素子１８との間に、レンズやミラー等の光学部材を設け、これらの光学部材を介して光像を受光するよう構成してもよい。
【００４２】
［第２実施形態］
第１実施形態では、第１光学系にのみ可動ミラー及び撮像素子を設けているが、第２光学系を第１光学系と同様の構成としてもよい。
【００４３】
図４において、第２実施形態の双眼鏡は、第１実施形態の第２光学系１０Ｒに代えて、第１実施形態の第１光学系１０Ｌと同様の構成の第２光学系３０Ｒを有している。この第２光学系３０Ｒは、対物レンズ３２と、正立プリズム３３と、可動ミラー３５と、接眼レンズ３６と、撮像素子３８とを備える。対物レンズ３２、正立プリズム３３、可動ミラー３５、接眼レンズ３６、撮像素子３８は、それぞれ、第１光学系１０Ｌの対物レンズ１２、正立プリズム１３、可動ミラー１５、接眼レンズ１６、撮像素子１８と同様の構成である。対物レンズ３２のピント合わせやズーミングは、対物レンズ１２と連動して行われる。
【００４４】
正立プリズム３３は、ダハプリズム３３Ｂと、補助プリズム３３Ａとが、シュミット・ペシャン型に組み合わせられて構成されている。補助プリズム３３Ａは、入射面３４Ａと、反射膜が形成されていない非全反射面３４Ｃとを有する。非全反射面３４Ｃには、可動ミラー３５が第１位置の場合に接触するように設けられている。ダハプリズム３３Ｂは、射出面３４Ｂを有する。
【００４５】
可動ミラー３５は、ミラー駆動部３９により駆動される。ミラー駆動部３９は、可動ミラー３５を、前述の第１位置と第２位置との間で移動させる。
【００４６】
撮像素子３８とミラー駆動部３９とには、制御部２０が電気的に接続されている。シャッタボタン１０Ｂが押下されると、制御部２０は、ミラー駆動部１９，３９を制御して可動ミラー１５，３５をともに第１位置から第２位置に移動させる。そして、制御部２０は、可動ミラー１５，３５を第２位置に移動させた状態で、撮像素子１８，３８に撮像動作を行わせる。撮像素子１８，３８がともに撮像動作を終えると、制御部２０は、ミラー駆動部１９，３９を制御して可動ミラー１５，３５をともに第２位置から第１位置に移動させる。
【００４７】
第２実施形態のその他の構成については、第１実施形態と同じであるので、詳細な説明は省略する。
【００４８】
第２実施形態では、左右両方の視点からの撮像信号が撮像素子１８，３８により取得されてメモリ２１に記憶されるので、これらの撮像信号をステレオ画像の生成などに用いることができる。
【００４９】
［第３実施形態］
第１実施形態では、第１位置において、可動ミラー１５のミラー面１５Ａを非全反射面１４Ｃのほぼ全面に接触させているが、第１位置において、可動ミラー１５のミラー面１５Ａと非全反射面１４Ｃとを非接触としてもよい。
【００５０】
図５及び図６において、第３実施形態の第１光学系４０Ｌでは、可動ミラー１５のミラー面１５Ａの長辺方向の両端部にガイド部材４１が設けられている。２つのガイド部材４１の間隔Ｌ１は、光像の光束の幅よりも十分に大きく設定されている。
【００５１】
第１位置に配置された可動ミラー１５は、ガイド部材４１が非全反射面１４Ｃと接触する。したがって、第１位置において、可動ミラー１５は、ミラー面１５Ａと非全反射面１４Ｃとがほぼ平行であり、両者の間には空隙Ｇが存在する。第３実施形態のその他の構成については、第１実施形態と同じであるので、その詳細な説明は省略する。
【００５２】
第３実施形態では、可動ミラー１５のミラー面１５Ａにガイド部材４１を設けることにより、光像の光束が通過する領域では、可動ミラー１５のミラー面１５Ａと非全反射面１４Ｃとは非接触である。そのため、可動ミラー１５のミラー面１５Ａと非全反射面１４Ｃとの接触による損傷が防止される。なお、ガイド部材４１は、弾性を有し、かつ可塑的な変形が生じにくいゴム等の材料で形成することが好ましい。
【００５３】
第３実施形態では、可動ミラー１５は、ガイド部材４１が非全反射面１４Ｃに接触することにより位置決めされるので、可動ミラー１５により反射された光像の光路の精度は、第１実施形態と同様に高い。
【００５４】
なお、第３実施形態では、空隙Ｇでの光像の散乱等を低減するために、ガイド部材４１の高さは可能な限り低くし、空隙Ｇを小さくすることが好ましい。
【００５５】
［第４実施形態］
第３実施形態では、可動ミラー１５のミラー面１５Ａにガイド部材４１を設けているが、可動ミラー１５のミラー面１５Ａと非全反射面１４Ｃとの両方にガイド部材を設けてもよい。
【００５６】
図７〜９において、第４実施形態の第１光学系５０Ｌでは、可動ミラー１５のミラー面１５Ａの周端部と非全反射面１４Ｃの周端部とに、それぞれ第１ガイド部材５１と第２ガイド部材５２とが設けられている。第１ガイド部材５１に囲われたミラー面１５Ａの開口部と、第２ガイド部材５２に囲われた非全反射面１４Ｃの開口部とは、ともに長辺方向の長さがＬ１であり、短辺方向の長さがＬ２である。長さＬ１、Ｌ２は、光像の光束の幅よりも十分に大きい。
【００５７】
第１ガイド部材５１と第２ガイド部材５２とは、互いに極性が異なる板状の磁石により形成されている。この場合、可動ミラー１５の第１位置において、第１ガイド部材５１と第２ガイド部材５２とは互いに引き合うので、可動ミラー１５の非全反射面１４Ｃに対する位置ズレが防止される。
【００５８】
第４実施形態のその他の構成については、第３実施形態と同じであるので、その詳細な説明は省略する。
【００５９】
上記第１〜４実施形態では、可動ミラーは、一端を軸として回動することにより第１位置と第２位置との間で移動しているが、可動ミラーを、ミラー面が補助プリズムの非全反射面と平行状態を維持したままスライド移動することにより第１位置と第２位置との間で移動ように構成してもよい。
【００６０】
［第５実施形態］
第１〜第４実施形態では、可動ミラーの非全反射面に非対向である第２位置を、補助プリズムの非全反射面から射出された光像の光路から退避した位置としているが、この第２位置は、可動ミラーが非全反射面から射出された光像の光路内にあって、光像を、非全反射面に戻さない方向に反射させる位置であってもよい。
【００６１】
図１０及び図１１において、第５実施形態の第１光学系６０Ｌでは、第１実施形態の可動ミラー１５に代えて、第１実施形態とは反対側の端部を軸として回動する可動ミラー６５が設けられている。
【００６２】
可動ミラー６５は、非全反射面１４Ｃから射出された光像を、第１光学系６０Ｌへの光像の入射方向とはほぼ反対の方向に反射させる位置が第２位置とされる。この第２位置に可動ミラー６５を位置決めするためにストッパ部材６７が設けられている。このストッパ部材６７は、図１１に示すように、可動ミラー６５のミラー面６５Ａとは反対側の背面に当接する。可動ミラー６５は、ミラー駆動部６９により第１位置と第２位置との間で移動する。
【００６３】
第５実施形態では、撮像素子１８は、第２位置に配置された可動ミラー６５により反射される光像の光路上に配置されており、可動ミラー６５により反射された光像を撮像する。
【００６４】
このように、第５実施形態では、撮像素子１８を光軸ＡＬの近くに配置することができ、より省スペース化を図ることができる。
【００６５】
上記各実施形態は、矛盾が生じない範囲で適宜組み合わせることが可能である。上記各実施形態では、双眼鏡を例に説明しているが、本発明は、単眼鏡、望遠鏡、顕微鏡等の光学観察装置にも適用可能である。
【符号の説明】
【００６６】
１０  双眼鏡
１０Ｌ，４０Ｌ，５０Ｌ，６０Ｌ  第１光学系
１０Ｒ，３０Ｒ  第２光学系
１２，２２，３２  対物レンズ
１３，２３，３３  正立プリズム
１４Ａ，２４Ａ，３４Ａ  入射面
１４Ｂ，２４Ｂ，３４Ｂ  射出面
１４Ｃ，３４Ｃ  非全反射面
１５，３５，６５  可動ミラー
１６，２６，３６  接眼レンズ
１８，３８  撮像素子
１９，３９，６９  ミラー駆動部
２０  制御部
【図１】
2017207524.tif 000003
【図２】
2017207524.tif 000004
【図３】
2017207524.tif 000005
【図４】
2017207524.tif 000006
【図５】
2017207524.tif 000007
【図６】
2017207524.tif 000008
【図７】
2017207524.tif 000009
【図８】
2017207524.tif 000010
【図９】
2017207524.tif 000011
【図１０】
2017207524.tif 000012
【図１１】
2017207524.tif 000013